(57)【要約】  本開示の実施例は、セル情報取得方法及び機器を開示する。該方法において、目標セルのＩＤ情報の取得を端末機器に指示するための測定設定情報を受信すると、前記目標セルの周波数ポイント関連情報、前記目標セルとサービングセルとの同期状況、端末機器の能力情報及び端末機器の動作状態関連情報の少なくとも１つを含む目標情報に基づいて、タイマの目標計時期間を決定することと、前記目標計時期間中に前記ＩＤ情報を取得すると、前記ＩＤ情報をネットワーク機器に報告することとを含む。
2021519020.tif 000002
【特許請求の範囲】
【請求項１】
端末機器に応用されるセル情報取得方法において、
目標セルのＩＤ情報の取得を端末機器に指示するための測定設定情報を受信すると、前記目標セルの周波数ポイント関連情報、前記目標セルとサービングセルとの同期状況、端末機器の能力情報及び端末機器の動作状態関連情報の少なくとも１つを含む目標情報に基づいて、タイマの目標計時期間を決定することと、
前記目標計時期間中に前記ＩＤ情報を取得すると、前記ＩＤ情報をネットワーク機器に報告することとを含む、セル情報取得方法。
【請求項２】
前記目標情報は、前記目標セルの周波数ポイント関連情報を含み、
前記の目標情報に基づいて、タイマの目標計時期間を決定することは、
前記目標セルの周波数ポイントが属する目標周波数範囲に基づいて、前記目標計時期間を決定することを含む、請求項１に記載の方法。
【請求項３】
前記目標セルの周波数ポイントが属する目標周波数範囲に基づいて、前記目標計時期間を決定することは、
前記目標周波数範囲と第１対応関係に基づいて、前記目標計時期間を決定することを含み、
ここで、前記第１対応関係は、周波数範囲と計時期間との対応関係を含む、請求項２に記載の方法。
【請求項４】
前記目標情報は、前記目標セルの周波数ポイント関連情報を含み、
目標情報に基づいて、タイマの目標計時期間を決定することは、
前記目標セルの周波数ポイントに対応する周波数帯域幅が属する目標周波数帯域幅範囲に基づいて、前記目標計時期間を決定することを含む、請求項１に記載の方法。
【請求項５】
前記目標セルの周波数ポイントに対応する周波数帯域幅が属する目標周波数帯域幅範囲に基づいて、前記目標計時期間を決定することは、
前記目標周波数帯域幅範囲と第２対応関係に基づいて、前記目標計時期間を決定することを含み、
ここで、前記第２対応関係は、周波数帯域幅範囲と計時期間との対応関係を含む、請求項４に記載の方法。
【請求項６】
前記目標情報は、前記目標セルの周波数ポイント関連情報を含み、
目標情報に基づいて、タイマの目標計時期間を決定することは、
前記目標セルの周波数ポイントに対応する目標サブキャリア間隔に基づいて、前記タイマの目標計時期間を決定することを含む、請求項１に記載の方法。
【請求項７】
前記目標セルの周波数ポイントに対応する目標サブキャリア間隔に基づいて、前記タイマの目標計時期間を決定することは、
前記目標サブキャリア間隔と第３対応関係に基づいて、前記目標計時期間を決定することを含み、
ここで、前記第３対応関係は、サブキャリア間隔と計時期間との対応関係を含む、請求項６に記載の方法。
【請求項８】
前記目標情報は、前記目標セルとサービングセルとの同期状況を含み、
目標情報に基づいて、タイマの目標計時期間を決定することは、
前記目標セルが前記サービングセルに同期する場合、前記目標計時期間を第１所定期間に決定することと、
前記目標セルが前記サービングセルに同期しない場合、前記目標計時期間を第２所定期間に決定することとを含む、請求項１に記載の方法。
【請求項９】
前記目標セルとサービングセルとの同期状況を指示するための指示情報を含む前記サービングセルのシステムメッセージを受信することと、
前記指示情報に基づいて、前記目標セルと前記サービングセルとの同期状況を決定することとを更に含む、請求項８に記載の方法。
【請求項１０】
前記端末機器の能力情報は、端末機器の能力カテゴリ、端末機器の測定間隔能力、端末機器がサポートする接続モード、及び端末機器がキャリアアグリゲーション又はデュアルコネクティビティをサポートする能力の少なくとも１つを含む、請求項１〜９のいずれか一項に記載の方法。
【請求項１１】
前記端末機器の動作状態関連情報は、端末機器が動作する接続モード、端末機器が動作するキャリアアグリゲーションの周波数レンジ、及び、端末機器が動作するデュアルコネクティビティキャリアの周波数レンジの少なくとも１つを含む、請求項１〜９のいずれか一項に記載の方法。
【請求項１２】
前記測定設定情報は、前記目標セルの周波数ポイント及び／又はＰＣＩ（Ｐｈｙｓｉｃａｌ  Ｃｅｌｌ  Ｉｄｅｎｔｉｆｉｅｒ）を含む、請求項１〜９のいずれか一項に記載の方法。
【請求項１３】
前記目標セルのＩＤ情報は、前記目標セルのＣＧＩ（Ｃｅｌｌ  Ｇｌｏｂａｌ  Ｉｄｅｎｔｉｆｉｅｒ）、前記目標セルのＴＡＣ（Ｔｒａｃｋｉｎｇ  Ａｒｅａ  Ｃｏｄｅ）及び前記目標セルのＰＬＭＮ（Ｐｕｂｌｉｃ  Ｌａｎｄ  Ｍｏｂｉｌｅ  Ｎｅｔｗｏｒｋ）の少なくとも１つを含む、請求項１〜９のいずれか一項に記載の方法。
【請求項１４】
目標セルのＩＤ情報の取得を端末機器に指示するための測定設定情報を受信すると、前記目標セルの周波数ポイント関連情報、前記目標セルとサービングセルとの同期状況、端末機器の能力情報及び端末機器の動作状態関連情報の少なくとも１つを含む目標情報に基づいて、タイマの目標計時期間を決定する決定モジュールと、
前記目標計時期間中に前記ＩＤ情報を取得すると、前記ＩＤ情報をネットワーク機器に報告する送受信モジュールとを含む、端末機器。
【請求項１５】
前記目標情報は、前記目標セルの周波数ポイント関連情報を含み、
ここで、前記決定モジュールは、具体的には、前記目標セルの周波数ポイントが属する目標周波数範囲に基づいて、前記目標計時期間を決定する、請求項１４に記載の端末機器。
【請求項１６】
前記決定モジュールは、具体的には、前記目標周波数範囲と第１対応関係に基づいて、前記目標計時期間を決定し、
ここで、前記第１対応関係は、周波数範囲と計時期間との対応関係を含む、請求項１５に記載の端末機器。
【請求項１７】
前記目標情報は、前記目標セルの周波数ポイント関連情報を含み、
ここで、前記決定モジュールは、具体的には、前記目標セルの周波数ポイントに対応する周波数帯域幅が属する目標周波数帯域幅範囲に基づいて、前記目標計時期間を決定する、請求項１４に記載の端末機器。
【請求項１８】
前記決定モジュールは、具体的には、前記目標周波数帯域幅範囲と第２対応関係に基づいて、前記目標計時期間を決定し、
ここで、前記第２対応関係は、周波数帯域幅範囲と計時期間との対応関係を含む、請求項１７に記載の端末機器。
【請求項１９】
前記目標情報は、前記目標セルの周波数ポイント関連情報を含み、
ここで、前記決定モジュールは、具体的には、前記目標セルの周波数ポイントに対応する目標サブキャリア間隔に基づいて、前記タイマの目標計時期間を決定する、請求項１４に記載の端末機器。
【請求項２０】
前記決定モジュールは、具体的には、前記目標サブキャリア間隔と第３対応関係に基づいて、前記目標計時期間を決定し、
ここで、前記第３対応関係は、サブキャリア間隔と計時期間との対応関係を含む、請求項１９に記載の端末機器。
【請求項２１】
前記目標情報は、前記目標セルとサービングセルとの同期状況を含み、
ここで、前記決定モジュールは、具体的には、前記目標セルが前記サービングセルに同期する場合、前記目標計時期間を第１所定期間に決定し、前記目標セルが前記サービングセルに同期しない場合、前記目標計時期間を第２所定期間に決定する、請求項１４に記載の端末機器。
【請求項２２】
前記送受信モジュールは、更に、前記目標セルとサービングセルとの同期状況を指示するための指示情報を含む前記サービングセルのシステムメッセージを受信し、前記指示情報に基づいて、前記目標セルと前記サービングセルとの同期状況を決定する、請求項２１に記載の端末機器。
【請求項２３】
前記端末機器の能力情報は、端末機器の能力カテゴリ、端末機器の測定間隔能力、端末機器がサポートする接続モード、及び端末機器がキャリアアグリゲーション又はデュアルコネクティビティをサポートする能力の少なくとも１つを含む、請求項１４〜２２のいずれか一項に記載の端末機器。
【請求項２４】
前記端末機器の動作状態関連情報は、端末機器が動作する接続モード、端末機器が動作するキャリアアグリゲーションの周波数レンジ、及び、端末機器が動作するデュアルコネクティビティキャリアの周波数レンジの少なくとも１つを含む、請求項１４〜２２のいずれか一項に記載の端末機器。
【請求項２５】
前記測定設定情報は、前記目標セルの周波数ポイント及び／又はＰＣＩ（Ｐｈｙｓｉｃａｌ  Ｃｅｌｌ  Ｉｄｅｎｔｉｆｉｅｒ）を含む、請求項１４〜２２のいずれか一項に記載の端末機器。
【請求項２６】
前記目標セルのＩＤ情報は、前記目標セルのＣＧＩ（Ｃｅｌｌ  Ｇｌｏｂａｌ  Ｉｄｅｎｔｉｆｉｅｒ）、前記目標セルのＴＡＣ（Ｔｒａｃｋｉｎｇ  Ａｒｅａ  Ｃｏｄｅ）及び前記目標セルのＰＬＭＮ（Ｐｕｂｌｉｃ  Ｌａｎｄ  Ｍｏｂｉｌｅ  Ｎｅｔｗｏｒｋ）の少なくとも１つを含む、請求項１４〜２２のいずれか一項に記載の端末機器。
【請求項２７】
メモリと、プロセッサと、前記メモリに格納されて前記プロセッサで動作可能なコンピュータプログラムを含む端末機器であって、
前記コンピュータプログラムが前記プロセッサによって実行されると、請求項１〜１３のいずれか一項に記載のセル情報取得方法のステップが実現される、端末機器。
【請求項２８】
コンピュータプログラムが格納されているコンピュータ読み取り可能な媒体であって、
前記コンピュータプログラムがプロセッサによって実行されると、請求項１〜１３のいずれか一項に記載のセル情報取得方法のステップが実現される、コンピュータ読み取り可能な媒体。
【発明の詳細な説明】
【技術分野】
【０００１】
本願は、２０１８年３月２７日に中国特許庁に提出された中国特許出願２０１８１０２６０１８３．９の優先権を主張し、その全ての内容が援用によりここに取り込まれる。
【０００２】
本願は、通信技術分野に係り、特にセル情報取得方法及び機器に係る。
【背景技術】
【０００３】
通信システムにおいて、切り替えや干渉協調のために、ネットワーク機器（例えばｅＮＢ）は、配下のセルに対し、隣接セル関係テーブルを確立して維持する必要がある。ＡＮＲ（Ａｕｔｏｍａｔｉｃ  Ｎｅｉｇｈｂｏｒ  Ｒｅｌａｔｉｏｎ）機能は、未設定の隣接セルをネットワーク機器が発見することを支援し、隣接セル関係テーブルにおける対応するエントリの確立及び維持動作をトリガーすることに用いられる。ＡＮＲメカニズムは、同一周波数の隣接セルの発見のみならず、異なる周波数の隣接セルの発見にも適用可能である。
【０００４】
従来技術のＡＮＲメカニズムにおいて、端末機器は、ネットワーク機器から配信されたＡＮＲ測定設定を受信すると、タイマＴ３２１をスタートさせる。タイマＴ３２１の計時期間は、ＲＡＴ（Ｒａｄｉｏ  Ａｃｃｅｓｓ  Ｔｅｃｈｎｏｌｏｇｙ）に基づいて設置される。異なるＲＡＴは、異なる計時期間に対応する。
【０００５】
しかし、ＮＲ（Ｎｅｗ  Ｒａｄｉｏ）システムの場合、ＮＲシステムの周波数は、複数の周波数範囲に分割され、異なる周波数範囲では、周波数帯域幅、サブキャリア間隔などの面において大きく異なり、端末機器の能力も大きく異なる。従来技術のＲＡＴに基づいてタイマの計時期間を設置する方法を採用すると、タイマの計時期間が合理的に設置されず、セル情報の取得に影響を及ぼし、通信の有効性に影響を与える。
【発明の概要】
【発明が解決しようとする課題】
【０００６】
本開示の実施例は、ＮＲシステムにおける端末機器によるタイマの計時期間の決定に解決策を提供するために、セル情報取得方法及び機器を提供し、それによって端末機器がより合理的な計時期間に基づいてセル情報を取得し、通信の有効性を向上させることを目的とする。
【課題を解決するための手段】
【０００７】
第１態様として、セル情報取得方法を提供する。該方法において、目標セルのＩＤ情報の取得を端末機器に指示するための測定設定情報を受信すると、前記目標セルの周波数ポイント関連情報、前記目標セルとサービングセルとの同期状況、端末機器の能力情報及び端末機器の動作状態関連情報の少なくとも１つを含む目標情報に基づいて、タイマの目標計時期間を決定することと、前記目標計時期間中に前記ＩＤ情報を取得すると、前記ＩＤ情報をネットワーク機器に報告することとを含む。
【０００８】
第２態様として、端末機器を提供する。該端末機器は、目標セルのＩＤ情報の取得を端末機器に指示するための測定設定情報を受信すると、前記目標セルの周波数ポイント関連情報、前記目標セルとサービングセルとの同期状況、端末機器の能力情報及び端末機器の動作状態関連情報の少なくとも１つを含む目標情報に基づいて、タイマの目標計時期間を決定する決定モジュールと、前記目標計時期間中に前記ＩＤ情報を取得すると、前記ＩＤ情報をネットワーク機器に報告する送受信モジュールとを含む。
【０００９】
第３態様として、端末機器を提供する。該端末機器は、プロセッサと、メモリと、前記メモリに格納されて前記プロセッサで動作可能なコンピュータプログラムを含み、前記コンピュータプログラムが前記プロセッサによって実行されると、第１態様に記載のセル情報取得方法のステップが実現される。
【００１０】
第４態様として、コンピュータプログラムが格納されているコンピュータ読み取り可能な記憶媒体を提供し、前記コンピュータプログラムがプロセッサによって実行されると、第１態様に記載のセル情報取得方法のステップが実現される。
【発明の効果】
【００１１】
本開示の実施例において、端末機器は、目標セルのＩＤ情報の取得を端末機器に指示するための測定設定情報を受信すると、目標セルの周波数ポイント関連情報、目標セルとサービングセルとの同期状況、端末機器の能力情報及び端末機器の動作状態関連情報に基づいて、タイマの目標計時期間を決定し、目標計時期間中に目標セルのＩＤ情報を取得すると、ＩＤ情報をネットワーク機器に報告することによって、ＮＲシステムにおける端末機器によるタイマの計時期間の決定に解決策を提供し、端末機器がより合理的な計時期間に基づいてセル情報を取得し、通信の有効性を向上させることが実現される。
【００１２】
ここで説明する図面は、本開示を更に理解するために提供され、本開示の一部を構成する。本開示の例示的な実施例及びその説明は、本開示を解釈するために用いられるものであり、本開示に対する不当な限定を構成しない。
【図面の簡単な説明】
【００１３】
【図１】本開示の実施例の１つの応用シーンの概略図である。
【図２】本開示の１つの実施例に係るセル情報取得方法のフローチャートである。
【図３】本開示の１つの実施例に係る端末機器の構造図である。
【図４】本開示の１つの実施例に係る端末機器の構造図である。
【発明を実施するための形態】
【００１４】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００１５】
本開示の技術手段は、ＬＴＥ（Ｌｏｎｇ  Ｔｅｒｍ  Ｅｖｏｌｕｔｉｏｎ）／ＬＴＥ−Ａ（Ｌｏｎｇ  Ｔｅｒｍ  Ｅｖｏｌｕｔｉｏｎ−ａｄｖａｎｃｅｄ）システム、ＮＲ（Ｎｅｗ  Ｒａｄｉｏ）システムなど、様々な通信システムに応用可能である。
【００１６】
端末機器ＵＥ（Ｕｓｅｒ  Ｅｑｕｉｐｍｅｎｔ）は、移動端末（Ｍｏｂｉｌｅ  Ｔｅｒｍｉｎａｌ）、移動ユーザ機器などと称されてもよく、ＲＡＮ（Ｒａｄｉｏ  Ａｃｃｅｓｓ  Ｎｅｔｗｏｒｋ）を介して１つ又は複数のコアネットワークと通信可能である。端末機器は、移動電話（又は「セルラー」電話と称される）などの移動端末や、携帯式、ポータブル式、ハンドヘルド式、コンピュータ内蔵式又は車載の移動装置など、移動端末を有するコンピュータであり、無線アクセスネットワークとは音声及び／又はデータのやり取りを行う。
【００１７】
ネットワーク機器は、無線アクセスネットワークに設置されて、無線通信機能を端末機器に提供するために用いられる装置である。ネットワーク側機器は、基地局であってもよく、ＬＴＥにおけるｅＮＢ又はｅ−ＮｏｄｅＢ（ｅｖｏｌｕｔｉｏｎａｌ  Ｎｏｄｅ  Ｂ）及び５Ｇ基地局（ｇＮＢ）であってもよい。
【００１８】
図１は、本開示の実施例の１つの応用シーンの概略図である。図１に示すように、端末機器とネットワーク機器との通信フローは、以下のフローを含む。
１．端末機器は、ネットワーク機器Ａの配下で通常のセル測定を完了して測定結果を測定報告により報告する。測定報告には、ネットワーク機器Ｂの配下のセルＢの周波数ポイント及びＰＣＩ（Ｐｈｙｓｉｃａｌ  Ｃｅｌｌ  Ｉｄｅｎｔｉｆｉｅｒ）が含まれる。
２．ネットワーク機器Ａは、測定報告における周波数レンジ及びＰＣＩに基づいて、セルＢを未設定の隣接セルに決定し、セルＢのＩＤ情報の取得を指示シグナリングにより端末機器に指示する。該指示シグナリングは、測定設定の形式で端末機器に配信される。
３．端末機器は、測定設定を受信すると、タイマをスタートさせ、セルＢのシステムメッセージの取得を開始し、更にシステムメッセージにおけるＩＤ情報を取得する。
４．端末機器は、タイマがタイムアウトになる前にセルＢのＩＤ情報を取得すると、前記ＩＤ情報をネットワーク機器Ａに報告する。ネットワーク機器Ａは、セルＢを端末機器のサービングセル（セルＡ）の隣接セル関係テーブルに追加する。
【００１９】
従来技術において、タイマの計時期間は、ＲＡＴ（Ｒａｄｉｏ  Ａｃｃｅｓｓ  Ｔｅｃｈｎｏｌｏｇｙ）に基づいて設置され、異なるＲＡＴは、異なる計時期間に対応する。ＮＲ（Ｎｅｗ  Ｒａｄｉｏ）システムの場合、ＮＲシステムの周波数は、複数の周波数範囲に分割され、異なる周波数範囲では、周波数帯域幅、サブキャリア間隔などの面において大きく異なり、端末機器の能力も大きく異なる。従来技術のＲＡＴに基づいてタイマの計時期間を設置する方法を採用すると、タイマの計時期間が合理的に設置されず、セル情報の取得に影響を及ぼし、通信の有効性に影響を与える。
【００２０】
上記問題を解決するために、本開示の実施例は、セル情報取得方法を提供する。以下、本開示の各実施例の技術手段を、図面を参照して詳細に説明する。
【００２１】
図２は、本願の１つの実施例に係るセル情報取得方法を示す。図２に示すように、方法は、以下のステップを含む。
【００２２】
Ｓ２１０において、目標セルのＩＤ情報の取得を端末機器に指示するための測定設定情報を受信すると、前記目標セルの周波数ポイント関連情報、前記目標セルとサービングセルとの同期状況、端末機器の能力情報及び端末機器の動作状態関連情報の少なくとも１つを含む目標情報に基づいて、タイマの目標計時期間を決定する。
【００２３】
なお、Ｓ２１０におけるタイマは、タイマがタイムアウトになると目標セル（例えば隣接セル）のＩＤ情報の取得を停止してサービングセルに戻るように定義される。タイマのスタート時刻は、測定設定情報を受信した時刻に定義されてもよいし、端末機器が目標セル（例えば隣接セル）に来て目標セルのＩＤ情報の取得を開始する時刻に定義されてもよい。
【００２４】
選択可能に、Ｓ２１０において、測定設定情報は、目標セルの周波数ポイント及び／又はＰＣＩ（Ｐｈｙｓｉｃａｌ  Ｃｅｌｌ  Ｉｄｅｎｔｉｆｉｅｒ）を含む。端末機器は、測定設定情報に含まれる情報から目標セルを決定することができる。更に、測定設定情報は、１つの測定ＩＤに関連付けられる。
【００２５】
選択可能に、Ｓ２１０において、目標セルのＩＤ情報は、目標セルを一義的に識別するための情報である。例えば、目標セルのＩＤ情報は、前記目標セルのＣＧＩ（Ｃｅｌｌ  Ｇｌｏｂａｌ  Ｉｄｅｎｔｉｆｉｅｒ）、前記目標セルのＴＡＣ（Ｔｒａｃｋｉｎｇ  Ａｒｅａ  Ｃｏｄｅ）及び前記目標セルのＰＬＭＮ（Ｐｕｂｌｉｃ  Ｌａｎｄ  Ｍｏｂｉｌｅ  Ｎｅｔｗｏｒｋ）の少なくとも１つを含む。
【００２６】
選択可能に、一部の実施例において、目標情報は、目標セルの周波数ポイント関連情報を含む。Ｓ２１０において、目標情報に基づいて、タイマの目標計時期間を決定することは、目標セルの周波数ポイントが属する目標周波数範囲に基づいて、目標計時期間を決定することを含む。
【００２７】
更に、端末機器は、目標周波数範囲と第１対応関係に基づいて、目標計時期間を決定する。第１対応関係は、周波数範囲と計時期間との対応関係を含む。ここで、第１対応関係は、プロトコルによって予め取り決められてもよいし、ネットワーク機器から設定情報によって端末機器に設定されてもよい。
【００２８】
例えば、第１対応関係は、表１に示されている。端末機器は、目標セルの周波数ポイントが周波数範囲Ａ−ＢＭＨｚに属すると決定すると、タイマの目標計時期間をＭｍｓに決定し、目標セルの周波数ポイントが周波数範囲Ｃ−ＤＭＨｚに属すると決定すると、タイマの目標計時期間をＮｍｓに決定する。
【表１】
2021519020.tif 000003
【００２９】
選択可能に、別の一部の実施例において、目標情報は、目標セルの周波数ポイント関連情報を含む。すると、Ｓ２１０において、目標情報に基づいて、タイマの目標計時期間を決定することは、目標セルの周波数ポイントに対応する周波数帯域幅が属する目標周波数帯域幅範囲に基づいて、目標計時期間を決定することを含む。
【００３０】
更に、端末機器は、目標周波数帯域幅範囲と第２対応関係に基づいて、目標計時期間を決定する。第２対応関係は、周波数帯域幅範囲と計時期間との対応関係を含む。ここで、第２対応関係は、プロトコルによって予め取り決められてもよいし、ネットワーク機器から設定情報によって端末機器に設定されてもよい。
【００３１】
例えば、第２対応関係は、表２に示されている。端末機器は、目標セルの周波数ポイントに対応する周波数帯域幅範囲が周波数帯域幅範囲ＡＭＨｚに属すると決定すると、タイマの目標計時期間をＭｍｓに決定し、目標セルの周波数ポイントに対応する周波数帯域幅範囲が周波数帯域幅範囲ＢＭＨｚに属すると決定すると、タイマの目標計時期間をＮｍｓに決定する。
【表２】
2021519020.tif 000004
【００３２】
選択可能に、別の一部の実施例において、目標情報は、目標セルの周波数ポイント関連情報を含む。すると、Ｓ２１０において、目標情報に基づいて、タイマの目標計時期間を決定することは、目標セルの周波数ポイントに対応する目標サブキャリア間隔に基づいて、タイマの目標計時期間を決定することを含む。
【００３３】
更に、端末機器は、目標サブキャリア間隔と第３対応関係に基づいて、目標計時期間を決定する。第３対応関係は、サブキャリア間隔と計時期間との対応関係を含む。ここで、第３対応関係は、プロトコルによって予め取り決められてもよいし、ネットワーク機器から設定情報によって端末機器に設定されてもよい。
【００３４】
例えば、第３対応関係は、表３に示されている。端末機器は、目標セルの周波数ポイントに対応する目標サブキャリア間隔が１５ＭＨｚであると決定すると、タイマの目標計時期間を１００ｍｓに決定し、目標セルの周波数ポイントに対応する目標サブキャリア間隔が３０ＭＨｚであると決定すると、タイマの目標計時期間を２００ｍｓに決定する。
【表３】
2021519020.tif 000005
【００３５】
選択可能に、別の一部の実施例において、目標情報は、目標セルとサービングセルとの同期状況を含む。すると、Ｓ２１０において、目標情報に基づいて、タイマの目標計時期間を決定することは、前記目標セルが前記サービングセルに同期する場合、前記目標計時期間を第１所定期間に決定することと、前記目標セルが前記サービングセルに同期しない場合、前記目標計時期間を第２所定期間に決定することとを含む。ここで、第１所定期間と第２所定期間は、プロトコルによって予め取り決められてもよいし、ネットワーク機器から設定情報によって端末機器に設定されてもよい。
【００３６】
更に、端末機器は、目標セルがサービングセルに同期するか否かをサービングセルのシステムメッセージに基づいて決定する。図２に示す方法において、目標セルとサービングセルとの同期状況を指示するための指示情報を含むサービングセルのシステムメッセージを受信することと、指示情報に基づいて、目標セルとサービングセルとの同期状況を決定することとを更に含む。
【００３７】
本開示の実施例において、選択可能に、前記端末機器の能力情報は、端末機器の能力カテゴリ（Ｃａｐａｂｉｌｉｔｙ  Ｃａｔｅｇｏｒｙ）、端末機器の測定間隔能力、端末機器がサポートする接続モード、及び端末機器がキャリアアグリゲーション又はデュアルコネクティビティをサポートする能力の少なくとも１つを含む。それに対応して、端末機器は、能力情報に含まれる上記情報のうちの少なくとも１つに基づいて、タイマの目標計時期間を決定することができる。
【００３８】
例えば、端末機器は、能力カテゴリが高いほど、対応するタイマの目標計時期間が短くなるという規則に基づいて、目標計時期間を決定する。又は、プロトコル又はネットワークによって能力カテゴリと計時期間との対応関係を設定し、端末機器は、自身の能力カテゴリと該対応関係から目標計時期間を決定することができる。
【００３９】
又は、端末機器は、指示される測定周波数ポイント（目標セルの周波数ポイント）に対し間隔（Ｇａｐ）の測定が必要であるかに基づいて、タイマの計時期間を決定する。例えば、指示される測定周波数ポイントに対し、Ｇａｐの測定を必要としない場合、目標計時期間を短い値に決定する。ここで、該短い値は、プロトコルにより予め取り決められるか、ネットワーク機器によって設定される。
【００４０】
また、例えば、端末機器は、サポートする接続モードに基づいて、タイマの目標計時期間を決定する。例えば、端末機器がＬＴＥ−ＮＲデュアルコネクティビティ（Ｄｕａｌ−Ｃｏｎｎｅｃｔｉｖｉｔｙ）モードしかサポートせず、ＮＲスタンドアローン（Ｓｔａｎｄａｌｏｎｅ）モードをサポートしない場合、タイマの目標計時期間は、長い値である。端末機器がＮＲ  Ｓｔａｎｄａｌｏｎｅモードをサポートする場合、目標計時期間は、短い値である。ここで、該長い値と該短い値は、プロトコルにより予め取り決められるか、ネットワーク機器によって設定される。
【００４１】
更に、例えば、端末機器は、キャリアアグリゲーション又はデュアルコネクティビティをサポートする能力に基づいてタイマの目標計時期間を決定する。例えば、端末機器が周波数レンジのキャリアアグリゲーション又はデュアルコネクティビティをサポートする場合、目標計時期間は、短い値である。ここで、該短い値は、プロトコルにより予め取り決められるか、ネットワーク機器によって設定される。
【００４２】
本開示の実施例において、選択可能に、前記端末機器の動作状態関連情報は、端末機器が動作する接続モード、端末機器が動作するキャリアアグリゲーションの周波数レンジ、及び、端末機器が動作するデュアルコネクティビティキャリアの周波数レンジの少なくとも１つを含む。それに対応し、端末機器は、動作状態関連情報に含まれる上記情報のうちの少なくとも１つに基づいてタイマの目標計時期間を決定することができる。
【００４３】
例えば、端末機器は、動作する接続モードに基づいてタイマの目標計時期間を決定する。端末機器が動作するＲＡＴ（Ｒａｄｉｏ  Ａｃｃｅｓｓ  Ｔｅｃｈｎｏｌｏｇｙ）には、目標セルに対応するＲＡＴが含まれる場合、タイマの目標計時期間は、比較的小さい値である。例えば、端末機器がＬＴＥ−ＮＲデュアルコネクティビティモードで動作し、同時にＬＴＥ接続とＮＲ接続があり、ＮＲの隣接セルのＩＤ情報を取得する必要がある（又は端末機器がＮＲの隣接セルを測定すると理解する）場合、目標計時期間を比較的小さい値にセットする。端末機器がＬＴＥ単一接続モードで動作し、従来技術にＮＲの接続がない場合、タイマの目標計時期間を比較的大きい値にセットする。ここで、該比較的小さい値と比較的大きい値は、プロトコルにより予め取り決められるか、ネットワーク機器によって設定される。
【００４４】
又は、端末機器は、動作するキャリアアグリゲーションの周波数レンジ又はデュアルコネクティビティキャリアの周波数レンジに基づいてタイマの目標計時期間を決定する。例えば、端末機器が動作するキャリアアグリゲーションの周波数レンジ又はデュアルコネクティビティキャリアの周波数レンジで、測定される周波数レンジ（Ｂａｎｄ又は周波数範囲）がある場合、タイマの目標計時期間は、小さい値である。ここで、該小さい値は、プロトコルにより予め取り決められるか、ネットワーク機器によって設定される。
【００４５】
Ｓ２２０において、前記目標計時期間中に前記ＩＤ情報を取得すると、前記ＩＤ情報をネットワーク機器に報告する。
【００４６】
具体的には、一部の実施例において、測定設定情報は、１つの測定ＩＤに関連付けられる。端末機器は、目標計時期間中に前記ＩＤ情報を取得すると、取得したＩＤ情報と該測定ＩＤとをネットワーク機器に報告する。ネットワーク機器は、サービングセルの隣接セル関係テーブルに目標セルを追加する。端末機器は、目標計時期間中に前記ＩＤ情報を取得できなかった場合、該測定ＩＤをネットワーク機器に報告する。端末機器の報告情報に該ＩＤ情報が含まれないため、ネットワーク機器は、端末機器が必要情報の取得に成功しなかったと推測し、サービングセルの隣接セル関係テーブルに目標セルを追加しない。
【００４７】
以上、本開示の実施例に係るセル情報取得方法を図２を参照して詳細に記載した。以下、図３を参照し、本開示の実施例に係る端末機器を詳細に記載する。
【００４８】
図３は、本開示の実施例に係る端末機器の構造図である。図３に示すように、端末機器３０は、目標セルのＩＤ情報の取得を端末機器に指示するための測定設定情報を受信すると、前記目標セルの周波数ポイント関連情報、前記目標セルとサービングセルとの同期状況、端末機器の能力情報及び端末機器の動作状態関連情報の少なくとも１つを含む目標情報に基づいて、タイマの目標計時期間を決定する決定モジュール３１と、前記目標計時期間中に前記ＩＤ情報を取得すると、前記ＩＤ情報をネットワーク機器に報告する送受信モジュール３２とを含む。
【００４９】
本開示の実施例における端末機器は、目標セルのＩＤ情報の取得を端末機器に指示する測定設定情報を受信すると、目標セルの周波数ポイント関連情報、目標セルとサービングセルとの同期状況、端末機器の能力情報及び端末機器の動作状態関連情報に基づいて、タイマの目標計時期間を決定し、目標計時期間中に目標セルのＩＤ情報を取得すると、ＩＤ情報をネットワーク機器に報告することによって、ＮＲシステムにおいてより合理的な計時期間を決定することができ、決定した計時期間に基づいてセル情報を取得し、通信の有効性を向上させることができる。
【００５０】
選択可能に、１つの実施例として、前記目標情報は、前記目標セルの周波数ポイント関連情報を含む。ここで、前記決定モジュール３１は、具体的には、前記目標セルの周波数ポイントが属する目標周波数範囲に基づいて、前記目標計時期間を決定する。
【００５１】
選択可能に、１つの実施例として、前記決定モジュール３１は、具体的には、前記目標周波数範囲と第１対応関係に基づいて、前記目標計時期間を決定する。ここで、前記第１対応関係は、周波数範囲と計時期間との対応関係を含む。
【００５２】
選択可能に、１つの実施例として、前記目標情報は、前記目標セルの周波数ポイント関連情報を含む。ここで、前記決定モジュール３１は、具体的には、前記目標セルの周波数ポイントに対応する周波数帯域幅が属する目標周波数帯域幅範囲に基づいて、前記目標計時期間を決定する。
【００５３】
選択可能に、１つの実施例として、前記決定モジュール３１は、具体的には、前記目標周波数帯域幅範囲と第２対応関係に基づいて、前記目標計時期間を決定する。ここで、前記第２対応関係は、周波数帯域幅範囲と計時期間との対応関係を含む。
【００５４】
選択可能に、１つの実施例として、前記目標情報は、前記目標セルの周波数ポイント関連情報を含む。ここで、前記決定モジュール３１は、具体的には、前記目標セルの周波数ポイントに対応する目標サブキャリア間隔に基づいて、前記タイマの目標計時期間を決定する。
【００５５】
選択可能に、１つの実施例として、前記決定モジュール３１は、具体的には、前記目標サブキャリア間隔と第３対応関係に基づいて、前記目標計時期間を決定する。ここで、前記第３対応関係は、サブキャリア間隔と計時期間との対応関係を含む。
【００５６】
選択可能に、１つの実施例として、前記目標情報は、前記目標セルとサービングセルとの同期状況を含む。ここで、前記決定モジュール３１は、具体的には、前記目標セルが前記サービングセルに同期する場合、前記目標計時期間を第１所定期間に決定し、前記目標セルが前記サービングセルに同期しない場合、前記目標計時期間を第２所定期間に決定する。
【００５７】
選択可能に、１つの実施例として、前記送受信モジュール３２は、更に、前記目標セルとサービングセルとの同期状況を指示するための指示情報を含む前記サービングセルのシステムメッセージを受信し、前記指示情報に基づいて、前記目標セルと前記サービングセルとの同期状況を決定する。
【００５８】
選択可能に、１つの実施例として、前記端末機器の能力情報は、端末機器の能力カテゴリ、端末機器の測定間隔能力、端末機器がサポートする接続モード、及び端末機器がキャリアアグリゲーション又はデュアルコネクティビティをサポートする能力の少なくとも１つを含む。
【００５９】
選択可能に、１つの実施例として、前記端末機器の動作状態関連情報は、端末機器が動作する接続モード、端末機器が動作するキャリアアグリゲーションの周波数レンジ、及び、端末機器が動作するデュアルコネクティビティキャリアの周波数レンジの少なくとも１つを含む。
【００６０】
選択可能に、１つの実施例として、前記測定設定情報は、前記目標セルの周波数ポイント及び／又はＰＣＩ（Ｐｈｙｓｉｃａｌ  Ｃｅｌｌ  Ｉｄｅｎｔｉｆｉｅｒ）を含む。
【００６１】
選択可能に、１つの実施例として、前記目標セルのＩＤ情報は、前記目標セルのＣＧＩ（Ｃｅｌｌ  Ｇｌｏｂａｌ  Ｉｄｅｎｔｉｆｉｅｒ）、前記目標セルのＴＡＣ（Ｔｒａｃｋｉｎｇ  Ａｒｅａ  Ｃｏｄｅ）及び前記目標セルのＰＬＭＮ（Ｐｕｂｌｉｃ  Ｌａｎｄ  Ｍｏｂｉｌｅ  Ｎｅｔｗｏｒｋ）の少なくとも１つを含む。
【００６２】
本開示の実施例に係る移動端末は、図１の方法実施例において移動端末によって実現される各プロセスを実現することができるので、重複を避けるために、ここでは繰り返して記載しない。
【００６３】
図４は、本開示の別の実施例に係る端末機器の構造図を示す。図４に示すように、該端末機器４００は、少なくとも１つのプロセッサ４１０と、メモリ４２０と、少なくとも１つのネットワークインタフェース４３０と、ユーザインタフェース４４０を含む。端末機器４００における各構成部品は、バスシステム４５０を介して結合される。バスシステム４５０は、これらの構成部品の間の接続と通信に用いられることが理解できる。バスシステム４５０は、データバスのほかに、電源バス、制御バス及び状態信号バスを更に含む。ただし、明確に説明するために、図４において、各種類のバスをすべてバスシステム４５０として標記している。
【００６４】
ここで、ユーザインタフェース４４０は、ディスプレイ、キーボード又はポインティングデバイス（たとえばマウス、トラックボール（ｔｒａｃｋ  ｂａｌｌ））、タッチパネル又はタッチスクリーンなどを含む。
【００６５】
本開示の実施例におけるメモリ４２０は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ４２０は、これらに限られず、これら及びこれら以外の任意の適合する種類のメモリを含むとする。
【００６６】
一部実施例において、メモリ４２０には、実行可能なモジュール又はデータ構造、又はそれらのサブセット、又は、それらの拡張セットであるオペレーションシステム４２１とアプリケーションプログラム４２２が記憶されている。
【００６７】
ここで、オペレーションシステム４２１は、フレーム層、コアライブラリ層、駆動層など各種類のシステムプログラムを含み、各種類のベーシックサービスの実現及びハードウェアに基づくタスクの処理に用いられる。アプリケーションプログラム４２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム４２２に含まれる。
【００６８】
本開示の実施例において、端末機器４００は、メモリ４２０に格納されてプロセッサ４１０で動作可能なコンピュータプログラムを更に含み、コンピュータプログラムがプロセッサ４１０によって実行されると、上記の図２に記載の方法の各プロセスが実現され、同じ技術効果を奏することもできるので、重複を避けるために、ここでは繰り返して記載しない。
【００６９】
上記の本開示の実施例に開示される方法は、プロセッサ４１０に応用可能であり、又はプロセッサ４１０によって実現される。プロセッサ４１０は、信号処理能力を有するＩＣチップである。実現プロセスにおいて、上記方法の各ステップは、プロセッサ４１０におけるハードウェアの集積論理回路又はソフトウェア形式の指令によって遂行される。上記プロセッサ４１０は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示される方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野で周知されているコンピュータ読み取り可能な記憶媒体に位置する。該コンピュータ読み取り可能な記憶媒体は、メモリ４２０に位置する。プロセッサ４１０は、メモリ４２０における情報を読み取って、そのハードウェアと組み合わせて上記方法のステップを遂行する。具体的には、該コンピュータ読み取り可能な記憶媒体にはコンピュータプログラムが格納されており、コンピュータプログラムがプロセッサ４１０によって実行されると、上記の図２に示す方法の実施例の各ステップが実現される。
【００７０】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【００７１】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中又はプロセッサの外部で実現することができる。
【００７２】
本開示の実施例は、コンピュータプログラムが格納されているコンピュータ読み取り可能な記憶媒体を更に提供し、該コンピュータプログラムがプロセッサによって実行されると、上記図２に示す方法の実施例の各プロセスが実現され、かつ同じ技術効果を奏することもできるため、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００７３】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【００７４】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【００７５】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021519020.tif 000006
【図２】
2021519020.tif 000007
【図３】
2021519020.tif 000008
【図４】
2021519020.tif 000009
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
端末機器に応用されるセル情報取得方法において、
目標セルのＩＤ情報の取得を端末機器に指示するための測定設定情報を受信すると、前記目標セルの周波数ポイント関連情報、前記目標セルとサービングセルとの同期状況、端末機器の能力情報及び端末機器の動作状態関連情報の少なくとも１つを含む目標情報に基づいて、タイマの目標計時期間を決定することと、
前記目標計時期間中に前記ＩＤ情報を取得すると、前記ＩＤ情報をネットワーク機器に報告することとを含む、セル情報取得方法。
【請求項２】
前記目標情報は、前記目標セルの周波数ポイント関連情報を含み、
前記の目標情報に基づいて、タイマの目標計時期間を決定することは、
前記目標セルの周波数ポイントが属する目標周波数範囲に基づいて、前記目標計時期間を決定することを含む、請求項１に記載の方法。
【請求項３】
前記目標セルの周波数ポイントが属する目標周波数範囲に基づいて、前記目標計時期間を決定することは、
前記目標周波数範囲と第１対応関係に基づいて、前記目標計時期間を決定することを含み、
ここで、前記第１対応関係は、周波数範囲と計時期間との対応関係を含む、請求項２に記載の方法。
【請求項４】
前記目標情報は、前記目標セルの周波数ポイント関連情報を含み、
目標情報に基づいて、タイマの目標計時期間を決定することは、
前記目標セルの周波数ポイントに対応する周波数帯域幅が属する目標周波数帯域幅範囲に基づいて、前記目標計時期間を決定することを含む、請求項１に記載の方法。
【請求項５】
前記目標セルの周波数ポイントに対応する周波数帯域幅が属する目標周波数帯域幅範囲に基づいて、前記目標計時期間を決定することは、
前記目標周波数帯域幅範囲と第２対応関係に基づいて、前記目標計時期間を決定することを含み、
ここで、前記第２対応関係は、周波数帯域幅範囲と計時期間との対応関係を含む、請求項４に記載の方法。
【請求項６】
前記目標情報は、前記目標セルの周波数ポイント関連情報を含み、
目標情報に基づいて、タイマの目標計時期間を決定することは、
前記目標セルの周波数ポイントに対応する目標サブキャリア間隔に基づいて、前記タイマの目標計時期間を決定することを含む、請求項１に記載の方法。
【請求項７】
前記目標セルの周波数ポイントに対応する目標サブキャリア間隔に基づいて、前記タイマの目標計時期間を決定することは、
前記目標サブキャリア間隔と第３対応関係に基づいて、前記目標計時期間を決定することを含み、
ここで、前記第３対応関係は、サブキャリア間隔と計時期間との対応関係を含む、請求項６に記載の方法。
【請求項８】
前記目標情報は、前記目標セルとサービングセルとの同期状況を含み、
目標情報に基づいて、タイマの目標計時期間を決定することは、
前記目標セルが前記サービングセルに同期する場合、前記目標計時期間を第１所定期間に決定することと、
前記目標セルが前記サービングセルに同期しない場合、前記目標計時期間を第２所定期間に決定することとを含む、請求項１に記載の方法。
【請求項９】
前記目標セルとサービングセルとの同期状況を指示するための指示情報を含む前記サービングセルのシステムメッセージを受信することと、
前記指示情報に基づいて、前記目標セルと前記サービングセルとの同期状況を決定することとを更に含む、請求項８に記載の方法。
【請求項１０】
前記端末機器の能力情報は、端末機器の能力カテゴリ、端末機器の測定間隔能力、端末機器がサポートする接続モード、及び端末機器がキャリアアグリゲーション又はデュアルコネクティビティをサポートする能力の少なくとも１つを含む、請求項１〜９のいずれか一項に記載の方法。
【請求項１１】
前記端末機器の動作状態関連情報は、端末機器が動作する接続モード、端末機器が動作するキャリアアグリゲーションの周波数レンジ、及び、端末機器が動作するデュアルコネクティビティキャリアの周波数レンジの少なくとも１つを含む、請求項１〜９のいずれか一項に記載の方法。
【請求項１２】
前記測定設定情報は、前記目標セルの周波数ポイント及び／又はＰＣＩ（Ｐｈｙｓｉｃａｌ  Ｃｅｌｌ  Ｉｄｅｎｔｉｆｉｅｒ）を含む、請求項１〜９のいずれか一項に記載の方法。
【請求項１３】
前記目標セルのＩＤ情報は、前記目標セルのＣＧＩ（Ｃｅｌｌ  Ｇｌｏｂａｌ  Ｉｄｅｎｔｉｆｉｅｒ）、前記目標セルのＴＡＣ（Ｔｒａｃｋｉｎｇ  Ａｒｅａ  Ｃｏｄｅ）及び前記目標セルのＰＬＭＮ（Ｐｕｂｌｉｃ  Ｌａｎｄ  Ｍｏｂｉｌｅ  Ｎｅｔｗｏｒｋ）の少なくとも１つを含む、請求項１〜９のいずれか一項に記載の方法。
【請求項１４】
目標セルのＩＤ情報の取得を端末機器に指示するための測定設定情報を受信すると、前記目標セルの周波数ポイント関連情報、前記目標セルとサービングセルとの同期状況、端末機器の能力情報及び端末機器の動作状態関連情報の少なくとも１つを含む目標情報に基づいて、タイマの目標計時期間を決定する決定モジュールと、
前記目標計時期間中に前記ＩＤ情報を取得すると、前記ＩＤ情報をネットワーク機器に報告する送受信モジュールとを含む、端末機器。
【請求項１５】
前記目標情報は、前記目標セルの周波数ポイント関連情報を含み、
ここで、前記決定モジュールは、具体的には、前記目標セルの周波数ポイントが属する目標周波数範囲に基づいて、前記目標計時期間を決定し、
前記決定モジュールは、具体的には、前記目標周波数範囲と第１対応関係に基づいて、前記目標計時期間を決定し、
ここで、前記第１対応関係は、周波数範囲と計時期間との対応関係を含み、
又は
前記目標情報は、前記目標セルの周波数ポイント関連情報を含み、
ここで、前記決定モジュールは、具体的には、前記目標セルの周波数ポイントに対応する周波数帯域幅が属する目標周波数帯域幅範囲に基づいて、前記目標計時期間を決定し、
又は
前記決定モジュールは、具体的には、前記目標周波数帯域幅範囲と第２対応関係に基づいて、前記目標計時期間を決定し、
ここで、前記第２対応関係は、周波数帯域幅範囲と計時期間との対応関係を含み、
又は
前記目標情報は、前記目標セルの周波数ポイント関連情報を含み、
ここで、前記決定モジュールは、具体的には、前記目標セルの周波数ポイントに対応する目標サブキャリア間隔に基づいて、前記タイマの目標計時期間を決定し、
又は
前記決定モジュールは、具体的には、前記目標サブキャリア間隔と第３対応関係に基づいて、前記目標計時期間を決定し、
ここで、前記第３対応関係は、サブキャリア間隔と計時期間との対応関係を含み、
又は
前記目標情報は、前記目標セルとサービングセルとの同期状況を含み、
ここで、前記決定モジュールは、具体的には、前記目標セルが前記サービングセルに同期する場合、前記目標計時期間を第１所定期間に決定し、前記目標セルが前記サービングセルに同期しない場合、前記目標計時期間を第２所定期間に決定し、
又は
前記送受信モジュールは、更に、前記目標セルとサービングセルとの同期状況を指示するための指示情報を含む前記サービングセルのシステムメッセージを受信し、前記指示情報に基づいて、前記目標セルと前記サービングセルとの同期状況を決定する、請求項１４に記載の端末機器。
【国際調査報告】
2021519020.tif 000010
2021519020.tif 000011
2021519020.tif 000012
2021519020.tif 000013